(57)【要約】      （修正有）【課題】看板を一人で簡易にして安定的に取付することで、取り付け作業に要する時間を短縮することができ、取付時の体裁も極めて良好で、取り外した広告物は何度でも再利用可能な簡易取付看板を提供する。【解決手段】可撓性を有し表面側に文字又は図形が表示された表示テントを容易に張着し、自在に係脱するために用いられる広告又は看板であって、着脱自在に取り付ける着脱部ａ１及びｂ２、着脱部ａ１を固定する固定部３と、着脱部ａ１と着脱部ｂ２を係合する係着部６、固定部３を支える支柱を接合した。着脱部ａ１には内接する係止突起があり、上下には略水平に左右には略垂直に螺設形成し、背面に固定部支柱５を接合させた。【選択図】図２
0003207719.tif 000002
【実用新案登録請求の範囲】
【請求項１】
可撓性を有し表面側に文字又は図形が表示された表示テントを用意に張着し、自在に係脱するために用いられる広告又は看板であって、着脱自在に取り付ける着脱部ａ及びｂ、着脱部ａを固定する固定部と、着脱部ａと着脱部ｂを係合する係着部、固定部を支える支柱を接合したことを特徴とする看板取付具
【請求項２】
上記着脱部ａには内接する係止突起があり、上下には略水平に左右には略垂直に螺設形成し、背面に固定部支柱を接合させた請求項１記載の看板取付具
【請求項３】
着脱部ｂの表示テントは略等間隔に穿設して環装し、形成してなる請求項１記載の表示テント
【請求項４】
着脱部ａと着脱部ｂを係止し張架するバネで請求項１、２、３記載の看板取付具
【考案の詳細な説明】
【技術分野】
【０００１】本考案は広告及び看板の設置若しくは変更の際用いられる。
【背景技術】
【０００２】従来の広告及び看板を設置又は変更する場合、新規設置では板面に文字又は図形が表示されたシートを貼着し、変更の際には既存のシートを剥離し新しいシートを貼着するか、鉄枠に表示テントを紐状のもので緊締する必要があり人工１人では張着困難である。
【先行技術文献】
【特許文献】
【０００３】
【特許文献１】特開２００５−１０７２４１
【特許文献２】特開平１０−１２３９９０
【特許文献２】特開平０７−２９５４８８
【考案の概要】
【考案が解決しようとする課題】
【０００５】上記背景技術において、板面に表示シートを貼着する方法は熟練を要し、又、変更する際は表示シートを剥離して廃棄するため再利用不可で、その都度新しいシートを貼着しなければならず手間と費用がかかる。【０００６】鉄枠に表示テントを紐状のもので緊締する方法においては、表示テントを連なる紐状のもので張着するのはかなりの手間と熟練を要し、その応用には限度があった。
【課題を解決するための手段】
【０００７】本考案は内接する係止突起が付いたエルアングルを板面端部に配置し、バネで表示テントを掛着するという構成を具備することで、広告看板の変更の簡易化を図るとともに、表示テントを再利用することで費用の削減を実現しこれにより上記課題を解決するものである
【考案の効果】
【０００８】広告表示テントと板面に配置したエルアングルをバネで掛着する方法をとることにより、図１の看板取付具を設置すれば、広告表示テントを簡易に張着し自在に係脱することが可能であり、既存の表示テントを再利用することで結果的にかかる費用を削減することができる
【図面の簡単な説明】
【０００９】
【図１】本考案に係る簡易取付看板の製造における工程図である。
【図２】本考案に係る簡易取付看板の横断面図である。
【図３】本考案に係る簡易取付看板の正面図である。
【図４】本考案に係る簡易取付看板の広告表示テントの正面図である。
【図５】本考案に係る簡易取付看板の着脱部を掛止する引張バネの正面図である。
【考案を実施するための形態】
【００１０】図１に示すように、▲３▼の固定部を補強するため▲４▼の固定部補強材を衝止する。
▲３▼と▲４▼を合わせて板面とし、背面に固定部支柱を螺着する。
【００１１】図２に示すように、図１の着脱部ａとなる内接する係止突起が付いたエルアングルを上記板面端部に、上下では略水平に左右では略垂直に衝止する
【００１２】図３に示すように可撓性を有する表示テントに略等間隔に穿設して環装する。これが着脱部ｂとなる。
【００１３】図５に示す、引張バネで着脱部ａと着脱部ｂを掛着する
【００１４】均等物の置換として、係止突起のついたエルアングルの代わりに留め具等でも着脱部ａを形成するのは可能である
【００１５】防風材を外嵌することにより、風によるばたつきを抑え並びに体裁を整える
【００１６】均等物の置換としてゴムをバネの代用とすることもできる
【産業上の利用可能性】
【００１７】本考案は、トラッックの荷台にあたる箇所の側面などに大判の広告を掲出するなどの広告宣伝車にも応用できる
【符号の説明】
【００１７】▲１▼着脱部ａ
▲２▼着脱部ｂ
▲３▼固定部
▲４▼固定部補強材
▲５▼固定部支柱
▲６▼係着部
▲７▼防風ワク
【図１】
0003207719.tif 000003
【図２】
0003207719.tif 000004
【図３】
0003207719.tif 000005
【図４】
0003207719.tif 000006
【手続補正書】
【提出日】平成28年9月2日(2016.9.2)
【手続補正１】
【補正対象書類名】実用新案登録請求の範囲
【補正対象項目名】全文
【補正方法】変更
【補正の内容】
【実用新案登録請求の範囲】
【請求項１】
可撓性を有し表面側に文字又は図形が表示された表示テントを用意に張着し、自在に係脱するために用いられる広告又は看板であって、着脱自在に取り付ける着脱部ａ及びｂ、着脱部ａを固定する固定部と、着脱部ａと着脱部ｂを係合する係着部、固定部を支える支柱を接合したことを特徴とする看板取付具
【請求項２】
上記着脱部ａには内接する係止突起があり、上下には略水平に左右には略垂直に螺設形成し、背面に固定部支柱を定着させた請求項１記載の看板取付具
【請求項３】
着脱部ｂの表示テントは略等間隔に穿設して環装し、形成してなる請求項１記載の表示テント
【請求項４】
着脱部ａと着脱部ｂを係止し張架するバネで請求項１〜３のいずれか１項に記載の看板取付具
【手続補正３】
【補正対象書類名】明細書
【補正対象項目名】全文
【補正方法】変更
【補正の内容】
【考案の詳細な説明】
【技術分野】
【０００１】本考案は広告及び看板の設置若しくは変更の際用いられる。
【背景技術】
【０００２】従来の広告及び看板を設置又は変更する場合、新規設置では板面に文字又は図形が表示されたシートを貼着し、変更の際には既存のシートを剥離し新しいシートを貼着するか、鉄枠に表示テントを紐状のもので緊締する必要があり人工１人では張着困難である。
【先行技術文献】
【特許文献】
【０００３】
【特許文献１】特開２００５−１０７２４１
【特許文献２】特開平１０−１２３９９０
【特許文献３】特開平０７−２９５４８８
【考案の概要】
【考案が解決しようとする課題】
【０００４】上記背景技術において、板面に表示シートを貼着する方法は熟練を要し、又、変更する際は表示シートを剥離して廃棄するため再利用不可で、その都度新しいシートを貼着しなければならず手間と費用がかかる。【０００５】鉄枠に表示テントを紐状のもので緊締する方法においては、表示テントを連なる紐状のもので張着するのはかなりの手間と熟練を要し、その応用には限度があった。
【課題を解決するための手段】
【０００６】本考案は内接する係止突起が付いたエルアングルを板面端部に配置し、バネで表示テントを掛着するという構成を具備することで、広告看板の変更の簡易化を図るとともに、表示テントを再利用することで費用の削減を実現しこれにより上記課題を解決するものである
【考案の効果】
【０００７】広告表示テントと板面に配置したエルアングルをバネで掛着する方法をとることにより、図１の看板取付具を設置すれば、広告表示テントを簡易に張着し自在に係脱することが可能であり、既存の表示テントを再利用することで結果的にかかる費用を削減することができる
【図面の簡単な説明】
【０００８】
【図１】本考案に係る簡易取付看板の製造における工程図である。
【図２】本考案に係る簡易取付看板の横断面図である。
【図３】本考案に係る簡易取付看板の正面図である。
【図４】本考案に係る簡易取付看板の広告表示テントの正面図である。
【図５】本考案に係る簡易取付看板の着脱部を掛止する引張バネの正面図である。
【考案を実施するための形態】
【０００９】図１に示すように、▲３▼の固定部を補強するため▲４▼の固定部補強材を衝止する。▲３▼と▲４▼を合わせて板面とし、背面に固定部支柱を螺着する。
【００１０】図２に示すように、図１の着脱部ａとなる内接する係止突起が付いたエルアングルを上記板面端部に、上下では略水平に左右では略垂直に衝止する
【００１１】図３に示すように可撓性を有する表示テントに略等間隔に穿設して環装する。これが着脱部ｂとなる。
【００１２】図５に示す、引張バネで着脱部ａと着脱部ｂを掛着する
【００１３】均等物の置換として、係止突起のついたエルアングルの代わりに留め具等でも着脱部ａを形成するのは可能である
【００１４】防風材を外嵌することにより、風によるばたつきを抑え並びに体裁を整える
【００１５】均等物の置換としてゴムをバネの代用とすることもできる
【産業上の利用可能性】
【００１６】本考案は、トラッックの荷台にあたる箇所の側面などに大判の広告を掲出するなどの広告宣伝車にも応用できる
【符号の説明】
【００１７】１  着脱部ａ
２  着脱部ｂ
３  固定部
４  固定部補強材
５  固定部支柱
６  係着部
７  防風ワク
【手続補正４】
【補正対象書類名】図面
【補正対象項目名】図５
【補正方法】追加
【補正の内容】
【図５】
0003207719.tif 000007